(57)【要約】本発明は、携帯電話に連結される統合インタフェース情報を内蔵する通信環境設定装置及びその設定方法に関し、さらに詳しくは、製造社別にデータ入出力方式、電源提供方法、装置制御方法などの情報設定が異なる携帯電話に統合適用することができるインタフェース情報を保存し、携帯電話と結合されてデータを提供する通信環境設定装置を携帯電話に連結する場合、携帯電話の製造社、モデル名、運営／通信環境及び携帯電話バージョン（ｖｅｒｓｉｏｎ）などを認識して携帯電話と通信環境設定装置との連結を最適化することができる通信環境設定装置及びその設定方法に関する。  本発明の携帯電話に連結される統合インタフェース情報を内蔵する通信環境設定装置は、携帯電話と結合され前記通信環境設定装置に電源が供給される場合、前記携帯電話と通信するための電源制御モジュール及び前記携帯電話からハードウェア情報を受信して、前記通信環境設定装置の通信環境を前記携帯電話にマッチングされるように設定する中央制御モジュールを含み、前記中央制御モジュールは、前記携帯電話のハードウェア情報によって設定された通信環境情報によってデータを伝送するための通信装置制御部と前記携帯電話のハードウェア情報を要請するための命令語及び前記通信環境情報を保存するためのＥＥＰＲＯＭ及び前記携帯電話のハードウェア情報に対応するインタフェース情報を保存するためのＲＡＭから成ることに技術的な特徴がある。【選択図】図2
2009543422.tif 000002
【特許請求の範囲】
【請求項１】
通信環境設定装置であって、
携帯電話と結合され前記通信環境設定装置に電源が供給される場合、前記携帯電話と通信するための電源制御モジュールと、
前記携帯電話からハードウェア情報を受信して前記通信環境設定装置の通信環境を前記携帯電話にマッチングされるように設定する中央制御モジュールと、を含み、
前記中央制御モジュールは、
前記携帯電話のハードウェア情報によって設定された通信環境情報によってデータを伝送するための通信装置制御部と、
前記携帯電話のハードウェア情報を要請するための命令語及び前記通信環境情報を保存するためのＥＥＰＲＯＭと、
前記携帯電話のハードウェア情報に対応するインタフェース情報を保存するためのＲＡＭと、を含むことを特徴とする携帯電話に連結される統合インタフェース情報を内蔵する通信環境設定装置。
【請求項２】
前記ハードウェア情報は、前記携帯電話の製造社、モデル名、モデル別バージョン及び通信環境のうち一つ以上の情報を含むことを特徴とする請求項１に記載の携帯電話に連結される統合インタフェース情報を内蔵する通信環境設定装置。
【請求項３】
前記インタフェース情報は、前記携帯電話のハードウェア情報による通信プロトコル種類、通信速度及び送受信するデータの大きさ情報のうち一つ以上を含むことを特徴とする請求項１に記載の携帯電話に連結される統合インタフェース情報を内蔵する通信環境設定装置。
【請求項４】
前記インタフェース情報は、アップグレードが可能なことを特徴とする請求項３に記載の携帯電話に連結される統合インタフェース情報を内蔵する通信環境設定装置。
【請求項５】
前記電源制御モジュールは、
前記携帯電話との連結を制御するためのインタフェース制御部と、
電源の供給を受けるための電源制御部と、を含むことを特徴とする請求項１に記載の携帯電話に連結される統合インタフェース情報を内蔵する通信環境設定装置。
【請求項６】
前記インタフェース制御部は、前記電源制御部から電源供給が開始される場合、前記通信環境設定装置と前記携帯電話とを電気的に連結することを特徴とする請求項５に記載の携帯電話に連結される統合インタフェース情報を内蔵する通信環境設定装置。
【請求項７】
前記インタフェース制御部は、前記電源制御部から電源供給が遮断される場合、前記通信環境設定装置と前記携帯電話との電気的な連結を解除することを特徴とする請求項５に記載の携帯電話に連結される統合インタフェース情報を内蔵する通信環境設定装置。
【請求項８】
前記インタフェース制御部は、外部から入力される信号によって前記通信環境設定装置と前記携帯電話との電気的な連結を設定または解除することを特徴とする請求項５に記載の携帯電話に連結される統合インタフェース情報を内蔵する通信環境設定装置。
【請求項９】
前記電源制御部は、前記携帯電話、前記通信環境設定装置に備えられるバッテリー及び前記通信環境設定装置に連結される電源供給部のうち一つから電源の供給を受けることを特徴とする請求項５に記載の携帯電話に連結される統合インタフェース情報を内蔵する通信環境設定装置。
【請求項１０】
前記通信環境設定装置は、
前記携帯電話に提供されるデータを保存する保存モジュールと、
前記通信環境設定装置と前記携帯電話が結合された状態でも連結を解除することができる信号を前記電源制御モジュールに伝送する連結設定ボタンと、
前記データを保存、修正及び削除することができるインタフェースを提供する保存インタフェースモジュールと、をさらに含むことを特徴とする請求項１に記載の携帯電話に連結される統合インタフェース情報を内蔵する通信環境設定装置。
【請求項１１】
前記中央制御モジュールは、
前記保存モジュールに含まれるデータの入出力を制御するための保存装置制御部をさらに含むことを特徴とする請求項１または請求項１０に記載の携帯電話に連結される統合インタフェース情報を内蔵する通信環境設定装置。
【請求項１２】
前記保存モジュールは、前記通信環境設定装置内に含まれるか前記通信環境設定装置外部に備えられることを特徴とする請求項１１に記載の携帯電話に連結される統合インタフェース情報を内蔵する通信環境設定装置。
【請求項１３】
通信環境設定装置と携帯電話の通信環境設定方法であって、
前記携帯電話と電気的に連結され電源の供給を受ける第１ステップと、
前記携帯電話のハードウェア情報を要請する要請信号を伝送する第２ステップと、
前記携帯電話からハードウェア情報を受信する第３ステップと、
前記ハードウェア情報とＲＡＭに保存されるインタフェース情報とを比べる第４ステップと、
前記ハードウェア情報に該当するインタフェース情報を介して通信環境情報を設定しＥＥＰＲＯＭに保存する第５ステップと、を含むことを特徴とする統合インタフェース情報を利用する通信環境設定方法。
【請求項１４】
前記第１ステップでは、前記通信環境設定装置が前記携帯電話に結合される場合、前記携帯電話から入力される電源を電源制御部を介して前記通信環境設定装置で使用することを特徴とする請求項１３に記載の統合インタフェース情報を利用する通信環境設定方法。
【請求項１５】
保存モジュールに保存されるデータを提供する方法であって、
通信環境設定装置から前記データを実行するためのアプリケーションプログラムの実行を要請する要請信号を携帯電話に伝送する第１ステップと、
前記携帯電話から前記要請信号に対応する応答信号を受信する第２ステップと、
前記第２ステップで前記アプリケーションプログラムの実行完了信号が伝送される場合、実行待機する第３ステップと、
前記携帯電話からデータの伝送を要請する要請信号を受信する場合、前記保存モジュールに保存されたデータをＥＥＰＲＯＭに設定された通信環境に適合するように加工する第４ステップと、
前記第４ステップの加工されたデータを前記携帯電話に伝送する第５ステップと、を含むことを特徴とする通信環境設定装置を利用するデータの提供方法。
【請求項１６】
前記第２ステップの応答信号は、前記データを実行するためのアプリケーションプログラムが設けられている実行可能信号であることを特徴とする請求項１５に記載の通信環境設定装置を利用するデータの提供方法。
【請求項１７】
前記第４ステップのデータは、前記ＥＥＰＲＯＭに設定された通信環境情報によって前記データを伝送するために、前記データの伝送形態及び伝送大きさのうちいずれか一つ以上が変更されることを特徴とする請求項１５に記載の通信環境設定装置を利用するデータの提供方法。
【発明の詳細な説明】
【技術分野】
【０００１】
本発明は、携帯電話に連結される統合インタフェース情報を内蔵する通信環境設定装置及びその設定方法に関し、さらに詳しくは、製造社別にデータ入出力方式、電源提供方法、装置制御方法などの情報設定が異なる携帯電話に統合適用することができるインタフェース情報を保存し、携帯電話と結合されてデータを提供する通信環境設定装置を携帯電話に連結する場合、携帯電話の製造社、モデル名、運営／通信環境及び携帯電話バージョン（ｖｅｒｓｉｏｎ）などを認識して携帯電話と通信環境設定装置との連結を最適化することができる通信環境設定装置及びその設定方法に関する。
【背景技術】
【０００２】
一般的に携帯電話のようなポータブル無線端末機は、音声通話だけでなく様々な付加サービスを提供しており、マルチメディアコンテンツを実行することができるマルチメディア機器に発展しつつある。これによって無線データ通信機能が次第に拡大されている。
【０００３】
無線データ通信は、携帯電話を介してテキスト、イメージだけでなく、映像と音声の様々なマルチメディアコンテンツデータの無線送受信を可能にしている。
【０００４】
即ち、携帯電話を介する無線データ通信は、既存の有線ネットワークに連結されたコンピューター上で可能な様々な付加サービスを携帯電話でも実行可能にしている。
【０００５】
従来の携帯電話でマルチメディアコンテンツを実行するためには、携帯電話を介して無線データ通信網に連結されたマルチメディアコンテンツサーバに接続し、マルチメディアサーバで提供するコンテンツを検索してストリーミングサービスの提供を受けるか、マルチメディアコンテンツを携帯電話にダウンロードする。
【０００６】
従って、ストリーミングサービスを介してマルチメディアコンテンツの提供を受ける場合、無線データ通信網に連結される時間の間に持続的に連結費用が発生する問題点があり、コンテンツをダウンロードする場合にもダウンロードするために無線データ通信網に接続しなければならない。また、携帯電話にダウンロードしたマルチメディアコンテンツを実行するためには携帯電話で指定された動作段階を行わなければならないため、保存されたマルチメディアコンテンツを実行するには、多数の段階から構成されたメニューを実行しねばならないという問題点がある。
【０００７】
また、従来の無線データ通信を介するマルチメディアコンテンツは、携帯電話の製造社、モデル名、運営環境及びバージョン（ｖｅｒｓｉｏｎ）、または移動通信社別に各々異なるファイル形式で保存されて、製造社または移動通信社が異なる場合、マルチメディアコンテンツのダウンロード及び実行が不可能だという問題点が発生する。
【発明の概要】
【発明が解決しようとする課題】
【０００８】
本発明は、上述の問題点に鑑みてなされたもので、その目的は、統合インタフェース情保が保存される通信環境設定装置を携帯電話に結合して、携帯電話の製造社、モデル名、通信環境、運営環境及びバージョン、または移動通信社にかかわらず、通信環境設定装置を介してデータを携帯電話に提供する場合にすべての携帯電話と互換して通信することができる統合インタフェース情報を内蔵する通信環境設定装置を提供することにある。
【０００９】
また他の目的は、無線データ通信網に接続せずに通信環境設定装置を利用して保存モジュールに保存されたマルチメディアコンテンツを利用することができる携帯電話に連結される統合インタフェース情報を内蔵する通信環境設定装置のデータ提供方法を提供することにある。
【課題を解決するための手段】
【００１０】
上記目的を達成すべく、本発明によれば、通信環境設定装置であって、携帯電話と結合され、前記通信環境設定装置に電源が供給される場合に前記携帯電話と通信するための電源制御モジュール及び前記携帯電話からハードウェア情報を受信して前記通信環境設定装置の通信環境を前記携帯電話にマッチングされるように設定する中央制御モジュールを含み、前記中央制御モジュールは、前記携帯電話のハードウェア情報によって設定された通信環境情報によってデータを伝送するための通信装置制御部と前記携帯電話のハードウェア情報を要請するための命令語及び前記通信環境情報を保存するためのＥＥＰＲＯＭ及び前記携帯電話のハードウェア情報に対応するインタフェース情報を保存するためのＲＡＭによって達成される。
【発明の効果】
【００１１】
本発明による携帯電話に連結される統合インタフェース情報を内蔵する通信環境設定装置及びその設定方法は、統合インタフェース情報が保存された通信環境設定装置を携帯電話に装着して、通信環境設定装置内に保存されたマルチメディアコンテンツを提供することにおいて、通信環境設定装置には携帯電話の製造社、モデル名、バージョン及び通信環境などに分類された統合インタフェース情報を内蔵している。従って、様々な種類の携帯電話と結合して使用しても、携帯電話の通信環境に適合するように通信環境設定装置の通信環境を設定できるので、通信環境設定装置の通信環境を設定する際に優れた互換性を得られるという效果がある。
【００１２】
また、本発明の通信環境設定装置では、携帯電話でマルチメディアコンテンツを実行するために、無線データ通信網に接続してマルチメディアコンテンツのダウンロード及びストリーミングサービスの提供を受ける必要のないので、無線データ通信網に接続する時に発生する費用を節減することができる效果があり、通信不可能地域でもマルチメディアコンテンツを実行することができる效果がある。
【図面の簡単な説明】
【００１３】
【図１】図１は、本発明による携帯電話に使用される通信環境設定装置を示す斜視図である。
【図２】図２は、本発明による通信環境設定装置の構成図である。
【図３】図３は、本発明による通信環境を設定する方法を示すフローチャートである。
【図４】図４は、本発明によるマルチメディアコンテンツ提供方法を示すフローチャートである。
【発明を実施するための形態】
【００１４】
以下、本発明の好ましい実施の形態を、添付図面に基づき詳細に説明する。
【００１５】
本明細書及び特許請求の範囲に使用された用語や単語は通常的且つ辞書的な意味に限定して解釈されてはならず、発明者は発明を最善の方法で説明するために用語の概念を適切に定義することができるという原則に即して本発明の技術的な思想に符合する意味と概念に解釈されなければならない。
【００１６】
図１は、本発明による携帯電話に使用される通信環境設定装置を示す斜視図である。図１に示すように、一般的な携帯電話１００は、多数のボタン１１０を含んで構成されており、携帯電話１００で処理されるデータを表示するためのディスプレイ部１２０、音声データを出力するスピーカー１３０、音声入力のためのマイク１４０を含む。また、携帯電話１００は、携帯電話を介してデータを入出力するためのＵＳＢポート１５０を備えている。
【００１７】
本発明による通信環境設定装置２００は、携帯電話１００のＵＳＢポート１５０とマッチングされるＵＳＢインタフェースモジュール２０５を備え、必要に応じて使用者によって携帯電話１００のＵＳＢポート１５０に結合される。
【００１８】
通信環境設定装置２００には、専用バッテリー（図示せず）、携帯電話１００及び電源供給部２８５のうちいずれか一つから電源が供給され、専用バッテリー（図示せず）は通信環境設定装置２００内に含まれている。また、携帯電話１００から電源供給を受けて通信環境設定装置２００の電源として使用することができ、外部から電源が供給される電源供給部２８５を介して外部電源を使用して動作することもできる。
【００１９】
また、通信環境設定装置２００の一側面には、保存インタフェースモジュール２９０が備えられ、マルチメディアコンテンツの保存、修正及び削除が可能である。
【００２０】
図２は、本発明による通信環境設定装置の構成図である。図２に示すように、通信環境設定装置２００は、携帯電話１００のＵＳＢポート１５０に結合されるＵＳＢインタフェースモジュール２０５を備えている。ＵＳＢインタフェースモジュール２０５は電源制御モジュール２１０に連結されており、電源制御モジュール２１０はインタフェース制御部２１５と電源制御部２２０とから構成される。
【００２１】
電源制御部２２０は、通信環境設定装置２００に備えられるＵＳＢインタフェースモジュール２０５が携帯電話１００のＵＳＢポート１５０と結合される場合、電源制御部２２０を介して入力される電源を感知し通信環境設定装置２００で使用可能にする。通信環境設定装置２００への電源としては、通信環境設定装置２００内に含まれるバッテリー２８０を使用するか、通信環境設定装置２００に備えられる電源供給部２８５を介して外部から提供される電源を使用することができる。また、通信環境設定装置２００に電気的に連結される携帯電話１００で使用される電源が通信環境設定装置２００に提供されることができる。携帯電話１００には各製造社及びモデル別に異なる電源が使用され、通信環境設定装置２００で使用される電源も携帯電話１００の電源とは異なるので、携帯電話１００の電源を使用する場合、携帯電話の電源を感知して通信環境設定装置２００で使用可能に変換して提供する。
【００２２】
インタフェース制御部２１５は、通信環境設定装置２００に備えられるＵＳＢインタフェースモジュール２０５を制御するためのものであり、ＵＳＢインタフェースモジュール２０５が携帯電話１００のＵＳＢポート１５０に結合されて電源が供給される場合、ＵＳＢインタフェースモジュール２０５と携帯電話１００のＵＳＢポート１５０との連結を設定するか解除するよう制御する。
【００２３】
インタフェース制御部２１５によって通信環境設定装置２００と携帯電話１００との連結が設定される場合、通信環境設定装置２００は携帯電話１００とのデータ伝送のために通信連結を設定する。中央制御モジュール２２５は、主制御部２３５、通信装置制御部２３０、保存装置制御部２４０、ＥＥＰＲＯＭ２４５及びＲＡＭ２５０から構成されている。
【００２４】
主制御部２３５は、中央制御モジュール２２５の各構成要素を制御するためのものであり、ＥＥＰＲＯＭ２４５及びＲＡＭ２５０に保存されたデータを出力するか、入力することができ、通信装置制御部２３０及び保存装置制御部２４０を管理する。
【００２５】
ＥＥＰＲＯＭ２４５は、携帯電話１００のハードウェア情報である携帯電話１００の製造社、モデル名、バージョン及び通信方法などの情報を要請する命令語を保存し、携帯電話１００から受信したハードウェア情報に該当する通信方法を保存する。
【００２６】
ＲＡＭ２５０は、携帯電話１００の製造社、モデル名、バージョン及び通信方法などの統合インタフェース情報を保存しており、携帯電話１００から受信したハードウェア情報とマッチングされるインタフェース情報をＥＥＰＲＯＭ２４５に保存して携帯電話１００との通信を設定する。また、携帯電話１００でマルチメディアコンテンツを実行するためのアプリケーションプログラムの自動実行のための命令語を保存する。
【００２７】
統合インタフェース情報は、様々な種類の携帯電話１００のハードウェア情報によって通信プロトコル種類、データ伝送速度及び携帯電話１００のデータバッファー大きさなどを考慮した伝送されるデータの大きさなどを統合的に保存しており、携帯電話１００のハードウェア情報によってマッチングされるインタフェース情報がＥＥＰＲＯＭ２４５にロード（ｌｏａｄ）され通信環境設定装置２００と携帯電話１００との通信を開始する。
【００２８】
通信装置制御部２３０は、通信環境設定装置２００と携帯電話１００との通信連結を設定しデータの送受信を制御するものであり、ＥＥＰＲＯＭ２４５に保存された命令語を介して携帯電話１００のハードウェア情報を要請する要請信号を伝送し、携帯電話１００からハードウェア情報を受信した場合、ＲＡＭ２５０に保存されたマッチングされるインタフェース情報を保存する。
【００２９】
保存装置制御部２４０は、保存モジュール２５５を制御するためのものであり、携帯電話１００が保存されたデータの伝送を要請する場合、主制御部２３５からの命令信号によって保存モジュール２５５に保存されたデータを読み出して伝送する。この時に、保存装置制御部２４０を介して伝送されるデータは、携帯電話１００の通信インタフェース情報によって一回に伝送されるデータの大きさ及び種類などが再加工されて伝送される。
【００３０】
保存モジュール２５５は、マルチメディアコンテンツを保存しており、保存方法はマルチメディアコンテンツの種類によって、テキスト２６０、音声２６５、イメージ、動画像などを保存することができる。保存モジュール２５５は、通信環境設定装置２００内に含まれるかまたは通信環境設定装置２００外部に位置することができる。
【００３１】
また、通信環境設定装置２００の外部一側には連結設定ボタン２７０が備えられ、電源制御モジュール２１０に含まれるインタフェース制御部２１５と連結されるので、通信環境設定装置２００が携帯電話１００と電気的に連結されている場合にも、連結設定ボタン２７０によってＵＳＢインタフェースモジュール２０５を電気的に連結または解除することができる。
【００３２】
この時、インタフェース制御部２１５は、連結設定ボタン２７０から入力される外部信号を感知して、携帯電話１００と通信環境設定装置２００とを連結するか解除することができる。
【００３３】
ＲＡＭ２５０に保存された統合インタフェース情報及び保存モジュール２５５に保存されたデータであるマルチメディアコンテンツは、通信環境設定装置２００に備えされた保存インタフェースモジュール２９０を介して保存、修正及び削除されることが可能である。従って、携帯電話１００の通信環境情報を更新する場合または保存モジュールに保存されたデータを変更するか削除する場合に、保存インタフェースモジュール２９０を介して保存されたデータを変更することができる。
【００３４】
図３は、本発明による通信環境を設定する方法を示すフローチャートである。図３に示すように、携帯電話のＵＳＢポートに通信環境設定装置を結合する場合、電源制御モジュールに含まれる電源制御部から電源の入力を受け通信環境設定装置を駆動するための電源に変換して電源を提供するか、通信環境設定装置内部に備えられる専用バッテリーまたは、通信環境設定装置に含まれる電源供給部を介して電源の供給を受けて通信環境設定装置に提供する(Ｓ３１０)。
【００３５】
通信環境設定装置に電源が入力されると、主制御部はＥＥＰＲＯＭに保存された携帯電話のハードウェア情報を要請する命令語を通信装置制御部に伝送し、通信装置制御部は該当する命令語を携帯電話に伝送する。
【００３６】
以後、携帯電話からハードウェア情報である製造社、モデル名、バージョン及び通信方法などを受信(Ｓ３２０)し、主制御部は、受信されたハードウェア情報とＲＡＭに保存された統合インタフェース情報とを比べる(Ｓ３３０)。
【００３７】
受信された携帯電話のハードウェア情報にマッチングされるインタフェース情報がある場合、ＲＡＭに保存された該当するインタフェース情報をＥＥＰＲＯＭに保存して、携帯電話との通信環境を設定する(Ｓ３４０)。
【００３８】
図４は、本発明による保存されたデータ提供方法のフローチャートである。図４に示すように、携帯電話から保存されたデータの伝送を要請する要請信号を受信した場合(Ｓ４１０)、通信環境設定装置の中央制御モジュールは、携帯電話でデータを実行するためのアプリケーションプログラムが設置されているかどうかを確認する信号を携帯電話に伝送し、これに対応して携帯電話からアプリケーションプログラムの設置確認信号を受信する(Ｓ４２０)。
【００３９】
携帯電話にアプリケーションプログラムが設置されている場合、通信環境設定装置はデータ実行のためのデータ伝送を要請する要請信号を受信するまで実行を待機する(Ｓ４３０)。
【００４０】
以後、携帯電話からデータの実行のためのデータ要請信号を受信する場合(Ｓ４４０)、中央制御モジュールに備えられる保存装置制御部は、保存モジュールに保存されたデータを携帯電話の通信環境に応じて設定されたインタフェース情報によってデータを再加工して携帯電話に伝送し(Ｓ４５０)、伝送されたデータを携帯電話で実行する。
【００４１】
伝送されるデータが最終データかどうか判断して(Ｓ４６０)、最終データである場合、マルチメディアコンテンツデータの通信環境による加工を終了し、最終データが伝送されない場合、保存されたデータのうち伝送したデータ以後に伝送するデータを持続的に加工する(Ｓ４５０)。
【００４２】
本発明は、以上のように好ましい実施の形態を例に取り上げて図示し説明したが、記述した実施の形態に限定されず、本発明の精神を離脱しない範囲内で該当発明が属する技術分野で通常の知識を有する者によって様々な変更と修正が可能であろう。
【符号の説明】
【００４３】
１００       携帯電話
１５０       ＵＳＢポート
２００       通信環境設定装置        
２０５       ＵＳＢインタフェースモジュール
２１０       電源制御モジュール
２１５       インタフェース制御部
２２０       電源制御部
２２５       中央制御モジュール
２３０       通信装置制御部
２３５       主制御部
２４０       保存装置制御部
２４５       ＥＥＰＲＯＭ
２５０       ＲＡＭ
２５５       保存モジュール
【図１】
2009543422.tif 000003
【図２】
2009543422.tif 000004
【図３】
2009543422.tif 000005
【図４】
2009543422.tif 000006
【国際調査報告】
2009543422.tif 000007
2009543422.tif 000008